(57)【特許請求の範囲】
【請求項１】
流体吸入口からの流体の吸入と、流体供給口からの流体の供給とを制御する第１の電磁弁と、
流体排出口からの流体の排出を制御する第２の電磁弁と、
遠隔操作器からの指令により第１電磁弁及び第２電磁弁を動作させる電磁弁制御部と、
遠隔操作器の送受信部と無線で交信し、電磁弁ユニット本体と有線で接続される操作ユニットと、を備え、
操作ユニットは、電源接続用のコンセントと、出力用のコンセントとを有することを特徴とする電磁弁ユニット。
【請求項２】
請求項１に記載の電磁弁ユニットであって、遠隔操作器からの操作により第１の電磁弁を開き、流体吸入口から炭酸ガスを吸入し、流体供給口から昇降装置に炭酸ガスを供給して昇降装置を上昇させ、遠隔操作器からの操作により第２の電磁弁を開き、流体排出口から炭酸ガスを排出して昇降装置を下降させることを特徴とする電磁弁ユニット。
【請求項３】
請求項１又は２に記載の電磁弁ユニットであって、遠隔操作器による第１の電磁弁の開閉に連動して第１の通知音を発する第１の発報部と、遠隔操作器による第２の電磁弁の開閉に連動して第２の通知音を発する第２の発報部と、を備えることを特徴とする電磁弁ユニット。
【請求項４】
請求項１乃至３のいずれか１項に記載の電磁弁ユニットであって、遠隔操作器には、４個の釦が設けられ、第１の釦は、一旦押すと昇降装置が上昇し続け、第２の釦は、一旦押すと昇降装置が下降し続け、第３の釦は、押している間は昇降装置が上昇するが離すと停止し、第４の釦は、押すと昇降装置が停止することを特徴とする電磁弁ユニット。
【請求項５】
請求項１に記載の電磁弁ユニットであって、遠隔操作器による操作で第１の電磁弁を開くと流体吸入口から流体を吸入し、流体供給口から第１の配管に流体が供給され、遠隔操作器による操作で第２の電磁弁を開くと流体排出口からの第２の配管に流体が排出されることを特徴とする電磁弁ユニット。
【請求項６】
請求項５に記載の電磁弁ユニットであって、遠隔操作器には、４個の釦が設けられ、第１の釦は、第１の配管への流体の供給をＯＮにする釦であり、第２の釦は、第１の配管への流体の供給をＯＦＦにする釦であり、第３の釦は、第２の配管への流体の供給をＯＮにする釦であり、第４の釦は、第２の配管への流体の供給をＯＦＦにする釦であることを特徴とする電磁弁ユニット。
【請求項７】
請求項５又は６に記載の電磁弁ユニットであって、遠隔操作器による操作で流体吸入口から窒素ガスが吸入され、流体供給口から高圧又は低圧の冷媒配管の一方に窒素ガスが供給され、遠隔操作器による操作で流体排出口から高圧又は低圧の冷媒配管の他方に窒素ガスが排出されることを特徴とする電磁弁ユニット。
【発明の詳細な説明】
【技術分野】
【０００１】
本発明は、電磁弁ユニットに係り、例えば流体圧シリンダ式リフタなどの昇降装置の流体圧を制御する電磁弁ユニットに関する。
【背景技術】
【０００２】
リフタはホイストとも称し、例えば機器、資材、部品などの荷物を、シリンダなどの昇降装置により上方に持ち上げる機能を備えた機器をいう。また、シリンダには、例えばエアシリンダなどの流体圧シリンダなどが用いられる。
【０００３】
図７に、従来の流体圧シリンダ式リフタ３０を示す。この従来の流体圧シリンダ式リフタ３０は、特許文献１及び特許文献２に示されている。従来の流体圧シリンダ式リフタ３０は、基台３２上に流体圧シリンダ３３を立設し、この流体圧シリンダ３３のピストン３５に荷台３１を支持させる。そして、流体を流体供給源３４から流体供給パイプ３９を介して昇降操作弁３６に供給する。また、流体圧シリンダ３３の流体作動室に流体給排口３８を設け、この流体給排口３８に流体給排パイプ３７を設けて昇降操作弁３６に接続させる。この流体圧シリンダ式リフタ３０は、昇降操作弁３６を携帯式にするとともに流体給排パイプ３７及び流体供給パイプ３９を可撓性のホースで構成して、操作者が地上または上昇後の荷台３１上において昇降操作弁３６を操作できるようにしている。
【０００４】
また、流体圧シリンダ式リフタ３０を下降させる際に、作業者が昇降操作弁３６を下降側に操作する。すると、荷台３１上の荷物の荷重により、流体圧シリンダ３３内の圧縮空気または圧縮ガスなどの圧縮気体が流体給排パイプ３７を通って、昇降操作弁３６から大気中へ排出されていく。これにより、流体圧シリンダ３３が収縮していき、荷台３１が下降する。
【０００５】
この流体圧シリンダ式リフタ３０は、例えば、オフィスビル、工場、商業施設などの天井裏の空調設備の設備工事の際などに用いられる。具体的には、設備工事の作業者が荷台３１に機器や資材を乗せて移動する。例えば、既設の空調機やダクトなどを取り外して荷台３１に乗せて下降する場合、或いは、新設の空調機やダクトを荷台３１に乗せて上昇する場合などに利用される。
【先行技術文献】
【特許文献】
【０００６】
【特許文献１】実公平０６−５０４７２号公報
【特許文献２】実公平０７−００４７５号公報
【発明の概要】
【発明が解決しようとする課題】
【０００７】
従来の流体圧シリンダ式リフタは、作業者が昇降操作弁自体を操作してリフタを上昇或いは下降させていた。この昇降操作弁は流体供給パイプによりエア供給源に接続されている。また、昇降操作弁は流体給排パイプにより流体圧シリンダの流体作動室に設けられた流体給排口に接続されている。このため、昇降作業が行われる場合には、数メートルの長さの流体供給パイプ及び流体給排パイプがリフタの上昇或いは下降に伴って動くことになる。この流体供給パイプ及び流体給排パイプといったホースは、作業者の作業の邪魔になるだけではなく、流体圧シリンダ式リフタの昇降装置の一部に引掛かってしまうなど作業安全上問題がある。
【０００８】
また、流体圧シリンダ式リフタは、設置場所を移動させながら使用する機器であるが、数メートルの長さの流体供給パイプ及び流体給排パイプといったホースをその都度コンパクトに丸めるか、或いは畳んで搬送し易くするのに手間がかかるという問題がある。
【０００９】
さらに、電磁弁ユニットは、流体を吸入して供給すること、及び流体を排出することが可能な機構を有する装置であり、この装置を他の用途に活用することで付加価値を高めることができる。
【００１０】
本願の目的は、かかる課題を解決し、流体を供給して排出するホースなどを最小限にしてユニット自体の可搬性を高め、かつ多様な用途に使用可能とする電磁弁ユニットを提供することである。
【課題を解決するための手段】
【００１１】
上記目的を達成するため、本発明に係る電磁弁ユニットは、流体吸入口からの流体の吸入と、流体供給口からの流体の供給とを制御する第１の電磁弁と、流体排出口からの流体の排出を制御する第２の電磁弁と、遠隔操作器の送受信部と無線通信で交信するユニット送受信部と、遠隔操作器からの指令により第１電磁弁及び第２電磁弁を動作させる電磁弁制御部と、を備えることを特徴とする。
【００１２】
上記構成により、電磁弁ユニットは、第１の電磁弁及び第２の電磁弁により、吸入口からの流体の吸入、流体供給口からの流体の供給、及び流体排出口からの流体の排出を制御することができる。そして、ユニット送受信部を備え、遠隔操作器の送受信部と無線通信で交信し、遠隔操作で第１の電磁弁及び第２の電磁弁を動作させることができる。この構成により、従来、作業者が扱っていた昇降操作弁を流体供給源の近傍に設置でき、流体を供給して排出するホースなどを最小限とすることができる。そして、この電磁弁ユニットの可搬性を高めたことにより、昇降装置を容易に搬送して使用できる。
【００１３】
上記目的を達成するため、本発明に係る電磁弁ユニットは、流体吸入口からの流体の吸入と、流体供給口からの流体の供給とを制御する第１の電磁弁と、流体排出口からの流体の排出を制御する第２の電磁弁と、遠隔操作器からの指令により第１電磁弁及び第２電磁弁を動作させる電磁弁制御部と、遠隔操作器の送受信部と無線通信で交信し、電磁弁ユニット本体と有線で接続される操作ユニットと、を備え、操作ユニットが電源接続用のコンセントと、出力用のコンセントとを有することを特徴とする。
【００１４】
上記構成により、電磁弁ユニットは、更に、遠隔操作器の送受信部と無線通信で交信し、電磁弁ユニット本体と有線で接続される操作ユニットを備える。そして、この操作ユニットには電源接続用のコンセントと、出力用のコンセントが備えられる。これにより、流体を供給して排出するホースなどを最小限にできる点、及び昇降装置を容易に搬送して使用できる点といった効果に加え、例えば照明設備などの工事用電気設備に電源を供給でき、リフタだけではなく多様な用途に使用できる。
【００１５】
また、電磁弁ユニットは、遠隔操作器からの操作により第１の電磁弁を開き、流体吸入口から炭酸ガスを吸入し、流体供給口から昇降装置に炭酸ガスを供給して昇降装置を上昇させ、遠隔操作器からの操作により第２の電磁弁を開き、流体排出口から炭酸ガスを排出して昇降装置を下降させることが好ましい。これにより、流体として炭酸ガスを用いて昇降装置の上昇を第１の電磁弁で制御し、昇降装置の下降を第２の電磁弁で制御できる。
【００１６】
また、電磁弁ユニットは、遠隔操作器による第１の電磁弁の開閉に連動して第１の通知音を発する第１の発報部と、遠隔操作器による第２の電磁弁の開閉に連動して第２の通知音を発する第２の発報部と、を備えることが好ましい。これにより、作業者に対して昇降装置が上昇していることを発報する第１の発報部を第１の電磁弁の開閉に連動させることができる。また、作業者に対して昇降装置が下降していることを発報する第２の発報部を第２の電磁弁の開閉に連動させることができる。つまり、昇降装置の上昇及び下降に対して警報する発報部をそれぞれ独立して簡易に動作させることができる。
【００１７】
また、電磁弁ユニットは、遠隔操作器には４個の釦が設けられ、第１の釦が一旦押すと昇降装置が上昇し続け、第２の釦が一旦押すと昇降装置が下降し続け、第３の釦が押している間は昇降装置が上昇するが離すと停止し、第４の釦が押すと昇降装置が停止することが好ましい。これにより、遠隔操作器により、昇降装置の上昇動作と下降動作とをきめ細かく制御できる。
【００１８】
また、電磁弁ユニットは、遠隔操作器による操作で第１の電磁弁を開くと流体吸入口から流体を吸入し、流体供給口から第１の配管に流体が供給され、遠隔操作器による操作で第２の電磁弁を開くと流体排出口からの第２の配管に流体が排出されることが好ましい。これにより、本電磁弁ユニットにより流体を吸引する動作と、流体を供給する動作と、流体を排出する動作とを遠隔操作器により制御できる。
【００１９】
また、電磁弁ユニットは、遠隔操作器には、４個の釦が設けられ、第１の釦が第１の配管への流体の供給をＯＮにする釦であり、第２の釦が第１の配管への流体の供給をＯＦＦにする釦であり、第３の釦が第２の配管への流体の供給をＯＮにする釦であり、第４の釦が第２の配管への流体の供給をＯＦＦにする釦であることが好ましい。これにより、遠隔操作器による制御として、第１の配管への流体の供給のＯＮ／ＯＦＦと、第２の配管への流体の供給のＯＮ／ＯＦＦとを４個の釦により制御できる。
【００２０】
さらに、電磁弁ユニットは，遠隔操作器による操作で流体吸入口から窒素ガスが吸入され、流体供給口から高圧又は低圧の冷媒配管の一方に窒素ガスが供給され、遠隔操作器による操作で流体排出口から高圧又は低圧の冷媒配管の他方に窒素ガスが排出されることが好ましい。これにより、電磁弁ユニットは、冷媒配管における溶接後の窒素ブローに使用するなど多様な用途に活用できる。
【発明の効果】
【００２１】
以上のように、本発明に係る電磁弁ユニットによれば、流体を供給して排出するホースなどを最小限にしてユニット自体の可搬性を高め、かつ多様な用途に使用可能とする電磁弁ユニットを提供することができる。
【図面の簡単な説明】
【００２２】
【図１】本発明に係る電磁弁ユニットの第１の実施形態の概略構成を示すブロック図である。
【図２】図１の電磁弁ユニットにおける第１電磁弁及び第２電磁弁の接続状態を示す説明図である。
【図３】本発明に係る電磁弁ユニットの第２の実施形態の概略構成を示すブロック図である。
【図４】昇降装置に用いた場合の遠隔操作器の釦の構成の一つの実施例を示す説明図である。
【図５】本発明に係る電磁弁ユニットを冷媒配管の窒素ブローに用いた場合の実施例の概略構成を示すブロック図である。
【図６】冷媒配管の窒素ブローに用いた場合の遠隔操作器の釦の構成の一つの実施例を示す説明図である。
【図７】従来の流体圧シリンダ式リフタの構成を示す側面図である。
【発明を実施するための形態】
【００２３】
（電磁弁ユニットの第１実施形態）
以下に、図面を用いて本発明に係る電磁弁ユニット１ａの実施形態につき、詳細に説明する。図１に、本発明に係る電磁弁ユニット１ａの第１実施形態の概略構成をブロック図で示す。また、図２に、図１の電磁弁ユニット１ａにおける第１電磁弁４ａ及び第２電磁弁４ｂの接続状態を説明図で示す。電磁弁ユニット１ａの第１実施形態は、第１電磁弁４ａ，第２電磁弁４ｂ，電磁弁ユニット送受信部６，電磁弁制御部５，第１発報部１６ａ，及び第２発報部１６ｂから構成される。そして、電磁弁ユニット１ａは、遠隔操作器２と送受信して昇降装置１０の昇降を制御する。この遠隔操作器２は、遠隔操作器送受信部７及び遠隔操作部操作釦１９から構成される。また、昇降装置１０は、シリンダ１７及び流体供給源である炭酸ガスボンベ９ａから構成される。
【００２４】
電磁弁ユニット送受信部６は、無線通信４０により遠隔操作器２の遠隔操作器送受信部７と交信する。作業者は、後述する遠隔操作器操作釦１９により昇降装置１０の昇降について操作釦１９を選択して指令する。この場合、作業者は、例えば天井工事の場合には屋根裏で昇降装置１０の操作釦１９を操作しても良く、昇降装置１０の周辺で操作釦１９を操作しても良い。この操作釦１９による昇降装置１０の昇降に関する指令は、遠隔操作器送受信部７から無線通信４０を介して電磁弁ユニット送受信部６に送信される。電磁弁制御部５は、遠隔操作器２からの昇降装置１０の昇降に関する指令に基づき第１電磁弁４ａ又は第２電磁４ｂを開閉動作させる。
【００２５】
図２に示すように、第１電磁弁４ａがその電磁弁を開き、第２電磁弁４ｂがその電磁弁を閉じることで、流体供給源である炭酸ガスが炭酸ガスボンベ９ａから流体吸入口１１を経由して電磁弁ユニット１ａに吸入され、流体供給口１２から炭酸ガスが昇降装置１０のシリンダ１７に供給される。このシリンダ１７への炭酸ガスの供給により、昇降装置１０は流体圧が増加する。そして、図７のピストン３５が伸びて荷台３１が上昇する。
【００２６】
また、第１電磁弁４ａがその電磁弁を閉じ、第２電磁弁４ｂがその電磁弁を開くことで流体供給源である炭酸ガスが炭酸ガスボンベ９ａから流体吸入口１１を経由してシリンダ１７から吸入され、その炭酸ガスが流体排出口１３から排出される。このシリンダ１７からの炭酸ガスの吸入により、昇降装置１０は流体圧が減じられる。そして、図７のピストン３５が縮んで荷台３１が下降する。
【００２７】
電磁弁制御部５は、このように主として第１電磁弁４ａ及び第２電磁弁４ｂを開閉させるが、遠隔操作器２からの指令により、例えば下記のような制御も行う。遠隔操作器２から荷台３１の上昇の指令を受信した場合に、１回の信号の受信により継続して上昇させる。或いは、指令を受信している間のみ上昇させ、指令の受信が切れると停止する。また、遠隔操作器２から下降の指令を受信した場合に、１回の信号の受信により継続して下降させる。或いは、指令を受信している間のみ下降させ、受信が切れると停止する。電磁弁制御部５は、これらの制御を回路に設けられたリレーにより制御する。
【００２８】
第１発報部１６ａは、遠隔操作器２による第１電磁弁４ａの開閉に連動して第１通知音を発報する。また、第２発報部１６ｂは、遠隔操作器２による第２電磁弁４ｂの開閉に連動して第２通知音を発報する。すなわち、第１電磁弁４ａが開であり、かつ第２電磁弁４ｂが閉である場合には昇降装置１０の荷台３１が上昇するが、第１電磁弁４ａの開閉に連動して第１通知音が発報され、作業者などの昇降装置１０に関係している者に警報が発報される。また、第１電磁弁４ａが閉であり、かつ第２電磁弁４ｂが開である場合には昇降装置１０の荷台３１が下降するが、第２電磁弁４ｂの開閉に連動して第２通知音が発報され、作業者などの昇降装置１０に関係している者に警報が発報される。つまり、昇降装置１０が動作している場合には警報により安全が喚起される。また、第１通知音と第２通知音とを変えることにより、作業者などの昇降装置１０に関係している者に現在の昇降装置１０の動作が上昇なのか下降なのかを認識させることができる。
【００２９】
（電磁弁ユニットの第２実施形態）
図３に、本発明に係る電磁弁ユニット１ａの第２実施形態の概略構成をブロック図で示す。電磁弁ユニット１ａの第２実施形態は、第１電磁弁４ａ，第２電磁弁４ｂ，電磁弁制御部５，第１発報部１６ａ，及び第２発報部１６ｂから構成される。そして、電磁弁ユニット１ａは操作ユニット３と接続され、操作ユニット３は遠隔操作器２と無線通信４０により送受信して昇降装置１０の昇降を制御する。この操作ユニット３は、操作ユニット送受信部８及び電源供給手段１８から構成される。また、遠隔操作器２は、遠隔操作器送受信部７及び遠隔操作部操作釦１９から構成される。さらに、昇降装置１０は、シリンダ１７及び流体供給源である炭酸ガスボンベ９ａから構成される。
【００３０】
電磁弁ユニット１ａの第２実施形態について第１実施形態との違いは、電磁弁ユニット１ａと遠隔操作器２との間に操作ユニット３が設けられる点である。そして、本実施形態では、操作ユニット３と電磁弁ユニット本体２０とは有線により接続され、操作ユニット３と遠隔操作器２とは無線通信４０で接続される。このため、操作ユニット３は、電磁弁ユニット１ａと共に昇降装置１０の近傍に設置されても良く、遠隔操作器２と共に、荷台３１上に設置されても良い。
【００３１】
電磁弁ユニット１ａの他の構成要素である、電磁弁制御部５、第１電磁弁４ａ、第２電磁弁４ｂ、第１発報部１６ａ及び第２発報部１６ｂの機能については、第１実施形態と同様であるため説明を省略する。
【００３２】
図３に示すように、操作ユニット３には、電源供給手段１８として、電源接続用コンセント１４、及び出力用コンセント１５が備えられる。操作ユニット３にコンセント１４，１５を設けたのは、作業者が、例えば照明などに供給する電源を容易に確保するためである。この電源接続用コンセント１４に１００Ｖの電源のプラグを差し込んでおけば、例えば照明などの機器の電力が出力用コンセント１５から容易に確保できる。なお、操作ユニット３には電池又は充電池を備えていても良い。また、出力用コンセント１５は複数個設けられていても良い。
【００３３】
図４に、遠隔操作器２を昇降装置１０に用いた場合における、操作釦１９の具体的な構成の一つの実施例を示す。遠隔操作器２には４個の釦１９ａ，１９ｂ，１９ｃ，１９ｄが設けられる。第１釦１９ａは一旦押すと昇降装置１０が上昇し続ける。すなわち、電磁弁制御部５は、遠隔操作器２から上昇の指令を受信した場合に、１回の受信により継続して上昇させる。このとき、図４に示すように、第１電磁弁４ａはＯＦＦからＯＮに変化し、第２電磁弁４ｂはＯＦＦのままである。第２釦１９ｂは一旦押すと昇降装置１０が下降し続ける。すなわち、電磁弁制御部５は、遠隔操作器２から下降の指令を受信した場合に、１回の受信により継続して下降させる。このとき、図４に示すように、第２電磁弁４ｂはＯＦＦからＯＮに変化し、第１電磁弁４ａはＯＦＦのままである。第３釦１９ｃは押している間は昇降装置１０が上昇するが離すと停止する。すなわち、電磁弁制御部５は、遠隔操作器２から下降の指令を受信した場合に、指令を受信している間のみ上昇させ、受信が切れると停止させる。このとき、図４に示すように、第１電磁弁４ａは指令を受信中のみＯＦＦからＯＮに変化し、第２電磁弁４ｂはＯＦＦのままである。第４釦１９ｄは押すと昇降装置１０が停止する。すなわち、電磁弁制御部５は、遠隔操作器２から停止の指令を受信した場合に、昇降装置１０が上昇中又は下降中のいずれの場合にも昇降装置１０を停止させる。このとき、図４に示すように、第１電磁弁４ａはＯＦＦのままであり、第２電磁弁４ｂはＯＮからＯＦＦに変化する。
【００３４】
このように、昇降装置１０の荷台３１の上昇の際には、第１釦１９ａによる上昇の指令と第４釦１９ｄによる停止の指令を組み合わせることで昇降装置１０を大きく上昇させることができる。また、第３釦１９ｃを押している間だけ昇降装置１０の荷台３１の位置を小さく上昇させて微調整することができる。また、昇降装置１０の下降の際には、第２釦１９ｂによる下降の指令と第４釦１９ｄによる停止の指令を組み合わせることで昇降装置１０を大きく下降させることができる。なお、本実施例では、下降の際には荷台の位置の微調整は不要であると想定するため、「押している間は昇降装置１０が下降するが離すと停止する釦」は設けていないが、必要であれば設けても良い。
【００３５】
上述した遠隔操作器２の操作釦１９の具体的な構成については、一つの実施例にすぎない。例えば、操作釦の数は４個に限らず、昇降装置１０の動作をカバーするだけの個数であって良い。また、個々の操作釦１９の機能についても昇降装置１０の動作をカバーする機能を設定すれば良い。すなわち、昇降装置１０の使用目的に応じて操作釦１９の数、又は操作釦の機能が設定されても良い。
【００３６】
（冷媒配管の窒素ブローへの適用）
上述した昇降装置用電磁弁ユニット１ａを昇降装置１０以外の用途として、窒素ブロー用電磁弁ユニット１ｂに用いた場合を説明する。すなわち、「遠隔操作器２による操作で第１電磁弁４ａを開くと流体吸入口１１から流体を吸入し、流体供給口１２から第１配管２１に流体が供給される」という第１の構成、及び「遠隔操作器２による操作で第２電磁弁４ｂを開くと流体排出口１３からの第２配管２２に流体が排出される」という第２の構成を他の実施例に適用する。具体的には、流体を吸入し、第１配管２１及び第２配管２２という異なる供給先又は排出先に流体を供給又は排出する構成である。この構成が成立する場合には、本発明に係る電磁弁ユニット１ｂに第１配管接続用アダプタ２３ａ及び第２配管接続用アダプタ２３ｂを取り付けることで他の用途に使用可能となる。
【００３７】
例えば、図５に、本発明に係る電磁弁ユニット１ｂを冷媒配管の窒素ブローに用いた場合の実施例の概略構成を示す。これは、空調設備で設置される冷媒配管は現場にて鋼管を溶接により接合するが、この溶接後に溶接部の気密性を確認されるために配管内に窒素を吹き込むという試験が実施され、この試験が窒素ブローと称される。この窒素ブローを行うには、窒素ガスボンベ９ｂから窒素を吸入して配管内に供給する。そして、この冷媒配管は、高圧のガス配管と低圧の液配管とがあり、それぞれ異なる窒素ブローが行われるため、供給口又は排出口が２か所必要となる。
【００３８】
従って、本発明に係る電磁弁ユニット１ｂを冷媒配管用の窒素ブローに適用した場合には、遠隔操作器２による操作で流体吸入口１１から流体である窒素ガスが吸入され、流体供給口１２から第１配管である高圧冷媒配管２１に窒素ガスが供給され、さらに、遠隔操作器２による操作で流体排出口１３から第２配管である低圧冷媒配管２２に窒素ガスが排出される。
【００３９】
このように、空調設備の冷媒配管に対し、遠隔操作器２を用いて高圧冷媒配管２１及び低圧冷媒配管２２を相互に切り替えて、流体供給口１２又は流体排出口１３から容易に窒素ブローを行うことができる。
【００４０】
図６に、冷媒配管の窒素ブローに用いた場合の遠隔操作器２の操作釦１９の構成を示す。遠隔操作器２には４個の釦１９ａ，１９ｂ，１９ｃ，１９ｄが設けられる。第１釦１９ａは第１配管への流体の供給をＯＮにする釦である。第２釦１９ｂは第１配管への流体の供給をＯＦＦにする釦である。第３釦１９ｃは第２配管への流体の供給をＯＮにする釦である。第４釦１９ｄは第２配管１９への流体の供給をＯＦＦにする。
【００４１】
この遠隔操作器２の操作釦１９の具体的な構成については、一つの実施例にすぎない。例えば、操作釦の数は４個に限らず、必要な窒素ブローの動作を全てカバーするだけの個数であって良い。また、個々の操作釦１９の機能についても必要な窒素ブローの動作を全てカバーする機能を設定すれば良い。すなわち、窒素ブローの使用目的に応じて操作釦１９の数、又は操作釦の機能が設定されても良い。
【符号の説明】
【００４２】
１  電磁弁ユニット，１ａ  昇降装置用電磁弁ユニット，１ｂ  窒素ブロー用電磁弁ユニット、
２  遠隔操作器，２ａ  昇降装置用遠隔操作器，２ｂ  窒素ブロー用遠隔操作器、
３  操作ユニット、
４  電磁弁，４ａ  第１電磁弁，４ｂ  第２電磁弁、
５  電磁弁制御部、
６  電磁弁ユニット送受信部、
７  遠隔操作器送受信部、
８  操作ユニット送受信部、
９  流体供給源，９ａ  炭酸ガスボンベ，９ｂ  窒素ガスボンベ、
１０  昇降装置、
１１  流体吸入口、
１２  流体供給口、
１３  流体排出口、
１４  電源接続用コンセント、
１５  出力用コンセント、
１６  第１発報部，１６ａ  第１発報部，１６ｂ  第２発報部、
１７  シリンダ、
１８  電源供給手段、
１９，１９ａ，１９ｂ，１９ｃ，１９ｄ  （遠隔操作器の）操作釦、
２０  電磁弁ユニット本体、
２１  第１配管、又は高圧冷媒配管、
２２  第２配管、又は低圧冷媒配管、
２３  アダプタ，２３ａ  第１配管接続用アダプタ，２３ｂ  第２配管接続用アダプタ、
３０  流体圧シリンダ式リフタ、
３１  荷台、
３２  基台、
３３  流体圧シリンダ、
３４  流体供給源、
３５  ピストン、
３６  昇降操作弁、
３７  流体給排パイプ、
３８  流体給排口、
３９  流体供給パイプ、
４０  無線通信。
【図１】
0005992475.tif 000002
【図２】
0005992475.tif 000003
【図３】
0005992475.tif 000004
【図４】
0005992475.tif 000005
【図５】
0005992475.tif 000006
【図６】
0005992475.tif 000007
【図７】
0005992475.tif 000008